(57)【要約】少なくとも使用者の各胸と胴体の継ぎ目区域下部に配置されるように設計された少なくとも１つのアンダーワイヤを有し、胸を少なくとも部分的に被覆するように設計されアンダーワイヤが固定される２つのカップ（２、３）を含むブラジャー（１）であり、少なくともアンダーワイヤと使用者の体の間に介在するように設計され、少なくともアンダーワイヤを被覆するようにブラジャー（１）上に配置された少なくとも１つのバスク（例えば、クレードル）（４）を含むことを特徴とする。【選択図】図１
2018500476.tif 000002
【特許請求の範囲】
【請求項１】
少なくとも使用者の各胸と胴体の継ぎ目区域下部に配置されるように設計された少なくとも１つのアンダーワイヤを有し、前記胸を少なくとも部分的に被覆するように設計され前記アンダーワイヤが固定される２つのカップ（２、３）を含むブラジャー（１）であり、
少なくとも前記アンダーワイヤと前記使用者の体の間に介在するように設計され、少なくとも前記アンダーワイヤを被覆するように前記ブラジャー（１）上に配置された少なくとも１つのバスク（例えば、クレードル）（４）を含むことを特徴とする、
前記ブラジャー（１）。
【請求項２】
前記バスク（４）が、前記アンダーワイヤから前記カップ（２、３）の内部までの少なくとも一部に延在することを特徴とする、
請求項１に記載のブラジャー（１）。
【請求項３】
前記バスク（４）が、布地及び発泡体を備える集合体で達成されることを特徴とする、
請求項１または請求項２に記載のブラジャー（１）。
【請求項４】
前記バスク（４）が、複数の小パッド（５）を呈するように詰め物（当て物）をされることを特徴とする、
先行請求項のいずれか１項に記載のブラジャー（１）。
【請求項５】
前記パッド（５）が各々、球体の一部という形状を呈することを特徴とする、
請求項４に記載のブラジャー（１）。
【請求項６】
前記バスク（４）が、少なくとも１つの開口（１６）を含むことを特徴とする、
先行請求項のいずれか１項に記載のブラジャー（１）。
【請求項７】
前記開口（１６）が、前記パッド（５）間に配置されることを特徴とする、
請求項６に記載のブラジャー（１）。
【請求項８】
バスク（４）が、前記アンダーワイヤを挿入できるように設計された少なくとも１つのストラップ（６）を含むことを特徴とする、
先行請求項のいずれか１項に記載のブラジャー（１）。
【請求項９】
少なくとも前記アンダーワイヤを被覆するように、前記アンダーワイヤと前記使用者の体の間に介在するように設計されたバスク（４）をブラジャー（１）に固定するステップを含むことを特徴とする、
先行請求項のいずれか１項に記載のブラジャー（１）を製作する方法。
【発明の詳細な説明】
【技術分野】
【０００１】
本発明は、ランジェリー製品の分野、より詳細には、ブラジャーの分野に属する。
【背景技術】
【０００２】
従来、ブラジャーは、２つの主要なカテゴリーに分類することができる。１つは、胸が小さい女性用に設計されたアンダーワイヤなしのブラジャーのグループであり、もう１つは、胸が中くらいまたは大きい女性用に設計されたアンダーワイヤありのブラジャーのグループである。
【０００３】
アンダーワイヤなしのブラジャーは、ブラジャーのカップを作るために、裁断され縫製されたまたは成型された布地を含む構造物を呈する。次いで、これらのカップは、ストラップ及び支持帯に固定される。
【０００４】
アンダーワイヤありのブラジャーは、胸の支持性（サポート性）を高める。これらのブラジャーは、通例、リブなどのアンダーワイヤとして機能する要素が取り付けられ縫製されたまたは成型されたカップを含む。通常、これらのリブは、金属棒などの比較的剛性の材料、または合成材料の剛性要素から構成される。次いで、リブは、特に洗濯の際の保護のために、かつその種のブラジャーを身に着ける人を保護するために、織布で作られている構造体の内部に縫い付けられる。
【０００５】
そのようなアンダーワイヤありのブラジャーは、特に、リブの位置決め不良により使用者が傷つけられる危険性が常に存在するという欠点を呈する。一方では、アンダーワイヤは、胸の支持性を高めはするが、特に、アンダーワイヤを製作するのに用いられる材料が皮膚を圧迫し動いている体の形態に正確に適応しない剛性材料であることにより、ブラジャーを身に着けたときの不快感を引き起こす。他方では、アンダーワイヤは、骨の上に乗っており、使用者側が活発な運動をする場合、水疱を形成することがあり、または、胸の下の皮膚に裂傷を負うことがある。
【発明の概要】
【０００６】
本発明は、ブラジャー、特に前述した欠点のないブラジャーの提案を目的とし、この目的のために、本発明は、少なくとも使用者の各胸と胴体の継ぎ目下部の区域に配置されるように設計された少なくとも１つのアンダーワイヤを有し、胸を少なくとも部分的に被覆するように設計されアンダーワイヤが固定される２つのカップを含むブラジャーであり、少なくともアンダーワイヤと使用者の体の間に介在するように設計され、少なくともアンダーワイヤを被覆するようにブラジャー上に配置された少なくとも１つのバスク（例えばクレードル（物を支える枠））を含む点に特徴があるブラジャーを提案する。
【０００７】
継ぎ目区域「下部」は、おおよそ少なくとも半円状に伸びる、使用者の頭から最も遠く（骨盤に最も近く）位置する継ぎ目区域であると理解される。
【０００８】
このように、バスクは、圧迫、特に、使用者の皮膚及び骨に対するアンダーワイヤの圧迫を軽減させることができ、特に、使用者側が本発明によるブラジャーと使用者の体の間に多数の相対運動を引き起こす活発な運動をする際、本発明によるブラジャーを使用すると、アンダーワイヤにより起こる欠点が軽減または解消される。
【０００９】
本発明によるブラジャーは、以下の任意の特徴の１つまたはいくつかを含むことができる。
バスクは、アンダーワイヤからカップの内部までの少なくとも一部に延在する。
バスクは、布地及び発泡体を備える集まりで達成され、こうして、アンダーワイヤと使用者の胴体の間の衝撃は、バスクによってよく吸収される。
バスクは、発泡ポリウレタンから製作される。
バスクは、エチレンビニルアセテートから製作される。
バスクは、特に、胸がバスクに均一に接触しないように詰め物（当て物）をされ、これにより、特に、使用者の皮膚の通気性をより良くすることが可能になる。
バスクは、複数の小パッドを呈するように詰め物（当て物）をされる。
バスクは、通気性が増すように、少なくとも１つの開口を含む。
開口は、使用者の皮膚が開口の壁（複数可）に直接接触し、開口を塞ぎ、開口が役割を果たすの妨げることがないようなやり方でパッド間に配置される。
発泡体は、熱成形され及び／または圧縮され、または注入される。
アンダーワイヤは、カップに直接的または間接的に固定されると理解され得る。
バスクは、アンダーワイヤを挿入できるように設計された少なくとも１つのストリップ（細長い１片）を含む。
バスクは、フィルム状またはドット状接着剤を用いて、ブラジャーに熱融着される。
バスクは、ブラジャーに縫い付けられる。
バスクは、１つのピースでまたはいくつかの集合ピースから作られている１のピースとして作られる。
バスクは、オメガ（ω）形状のピースを形成するように、アンダーワイヤの全長にわたって延在する。
ωの先端は各々、詰め物（当て物）の他のパッドより大きな寸法を有する少なくとも１つのパッドを呈する。
【００１０】
本発明は、本発明によるバスクを製作する方法及び本発明によるブラジャーを製作する方法にも関する。
【００１１】
バスクの製作方法は、他の発泡体要素が間に配置された２層の発泡体を熱成形し、熱成形の結果、バスクが、例えばパッド状の突起を呈することによって凹凸表面を呈するようになるステップを含む点に特徴がある。
【００１２】
他方では、バスクの製作方法は、熱形成された発泡体を切断するステップであって、好ましくはバスク表面に凹凸があるとき、バスクの厚みが可能な限り最小な部分で切断するステップを含むことができる。
【００１３】
ブラジャーの製作方法は、少なくともアンダーワイヤを被覆するように、アンダーワイヤと使用者の体の間に介在するように設計されたバスクをブラジャーに固定するステップを含む点に特徴がある。
【００１４】
ブラジャーの製作方法は、バスクを、ブラジャーのカップの内部に向かって少なくとも部分的に延在するように位置決めするステップも含むことができる。
【００１５】
ブラジャーの製作方法は、本発明の１つの実施形態によると、この目的のために設けられたバスク内側のストリップにアンダーワイヤを挿入するステップを備えることができる。
【００１６】
本発明のいくつかの実施形態は、ここで、添付の図を参照して、非限定的な実施例として記載される。一連の図の同一のまたは類似の参照は、同一のまたは類似の部分または部分の集合を指定する。
【図面の簡単な説明】
【００１７】
【図１】本発明の１つの実施形態によるブラジャーを示す。
【図２】本発明の第１の実施形態によるバスクを示す。
【図３】本発明の第２の実施形態によるバスクを示す。
【図４】本発明の第３の実施形態によるバスクを示す。
【図５】本発明の第４の実施形態によるバスクを示す。
【図６】本発明の１つの実施形態による、本発明によるバスクの詰め物（当て物）の詳細を示す。
【発明を実施するための形態】
【００１８】
図１を参照すると、本発明の１つの実施形態によるブラジャー（１）が記載されている。
【００１９】
ブラジャー１は、使用者の各胸と胴体の継ぎ目区域下部に配置されるように設計された２つのアンダーワイヤ（描画せず）を有し、胸を少なくとも部分的に被覆するように設計された、アンダーワイヤが固定される２つのカップ２及びカップ３を含むブラジャー１である。
【００２０】
ブラジャー１は、アンダーワイヤと使用者の体の間に介在するように設計された、アンダーワイヤを被覆するようにブラジャー１上に配置された１つのピース（ワンピース）のバスク４も含む。
【００２１】
バスク４は、大半がアンダーワイヤからカップ２及びカップ３の内部に延在し、小パッド５の形の詰め物（当て物）を呈するように布地及び熱成形されたポリウレタンを備える集合体から作られている。
【００２２】
バスク４は、ブラジャー１にぴったり合うように付けられているので、そのようなバスクは、任意の既存のブラジャーに、取り外し可能にまたは不可能に、有利に付けることができると認められよう。
【００２３】
図２を参照すると、本発明の第１の実施形態によるバスク４が記載されている。
【００２４】
バスク４は、オメガ（ω）形状を呈し、ストリップ６及びストリップ７、すなわち、ブラジャーに固定されるように設計された、アンダーワイヤを挿入することができるトンネルを含む。
【００２５】
場合によっては、バスク４の端部８及び端部９は、カップ２及びカップ３の外側側部１０及び外側側部１１（図１）の長さ分延在し、したがって、ブラジャー１の、図１に示したストラップ１２及びストラップ１３に届くことができる。
【００２６】
図３を参照すると、本発明の第２の実施形態によるバスク４が記載されている。
【００２７】
バスク４の端部８及び端部９は、カップ２及びカップ３の外側側部１０及び外側側部１１に沿っておらず、したがって、バスク４は、アンダーワイヤの端部の範囲まで、外側側部１０及び外側側部１１に延在する。
【００２８】
図４を参照すると、本発明の第３の実施形態によるバスク４が記載されている。
【００２９】
バスク４は、球体の一部という形状の小パッド５を呈するように詰め物（当て物）をされ、そのうちのいくつかの、５ａ、５ｂ及び５ｃは、好ましくは端部（点）８及び端部（点）９にかつ中心点１４に位置し、その他のパッドより大きな寸法を呈する。もちろん、その他のパッドより大きな寸法を有する他のパッド５を、バスク４上の他のいくつかの場所に配置することができる。
【００３０】
図５を参照すると、本発明の第４の実施形態によるバスク４が記載されている。
【００３１】
この実施形態で、バスク４は、アンダーワイヤの大きさ及び形状の全てならびにブラジャーの形状の全てを被覆するたっぷりした面を呈する。
【００３２】
図６を参照すると、本発明の１つの実施形態による、例えば図１のバスク４の詰め物（当て物）１５の詳細が記載されている。
【００３３】
詰め物（当て物）１５は、各々が球体の一部という形状を呈する複数の小パッド５を呈する。本発明は、そのような形状に限定されず、したがって、例えば、パッド５が網状（ネットワーク）の場合の方法に類似の方法により製作された直線の形状網（幾何学的ネットワーク）も含む場合がある。
【００３４】
このパッド５は、チェッカー盤（チェッカーボード）１７の四角部に据えられ、複数の開口１６は、このように画定されたチェッカー盤１７の２つの直線の各合流点で用いられる。
【００３５】
言うまでもないが、本発明は、例として本明細書に記載した実施形態に限定されず、前述の方法の任意の技術的均等物または変形物、さらにそれらの可能性のある組み合わせを含むことができる。
【符号の説明】
【００３６】
１      ブラジャー
２、３  カップ
４      バスク
５、５ａ、５ｂ、５ｃ      パッド
６、７  ストリップ
８      端部
９      端部
１０    外側側部
１１    外側側部
１２    ストラップ
１３    ストラップ
１４    中心点
１５    詰め物（当て物）
１６    開口
１７    チェッカー盤
【図１】
2018500476.tif 000003
【図２】
2018500476.tif 000004
【図３】
2018500476.tif 000005
【図４】
2018500476.tif 000006
【図５】
2018500476.tif 000007
【図６】
2018500476.tif 000008
【手続補正書】
【提出日】平成29年8月21日(2017.8.21)
【手続補正１】
【補正対象書類名】特許請求の範囲
【補正対象項目名】全文
【補正方法】変更
【補正の内容】
【特許請求の範囲】
【請求項１】
少なくとも使用者の各胸と胴体の継ぎ目区域下部に配置されるように構成された少なくとも１つのアンダーワイヤを有するブラジャーであって、
前記ブラジャーは、前記胸を少なくとも部分的に被覆するように構成された、前記アンダーワイヤが固定された２つのカップを含み、
前記ブラジャーは、少なくとも前記アンダーワイヤを被覆するために前記ブラジャー上に配置された少なくとも１つのバスク（例えば、クレードル）を含み、
前記バスクが、少なくとも前記アンダーワイヤと前記使用者の体の間に介在するように構成され、
前記バスクが、複数の小パッドを呈するように当て物をされた、
ブラジャー。
【請求項２】
前記バスクが、前記アンダーワイヤから前記２つのカップの内部の少なくとも一部に延在する、
請求項１に記載のブラジャー。
【請求項３】
前記バスクが、布地及び発泡体を備える、
請求項１または請求項２に記載のブラジャー。
【請求項４】
前記複数の小パッドの各々が、球体の一部という形状を呈する、
請求項１〜３のいずれか１項に記載のブラジャー。
【請求項５】
前記バスクが、少なくとも１つの開口を含む、
請求項１〜４のいずれか１項に記載のブラジャー。
【請求項６】
前記少なくとも１つの開口が、前記複数の小パッドのパッド間に配置された、
請求項５に記載のブラジャー。
【請求項７】
前記バスクが、前記アンダーワイヤを挿入できるように構成された少なくとも１つのストリップを含む、
請求項１〜６のいずれか１項に記載のブラジャー。
【請求項８】
前記発泡体が、発泡ポリウレタンを備える、
請求項３に記載のブラジャー。
【請求項９】
前記バスクが、エチレンビニルアセテートを備える、
請求項１〜８のいずれか１項に記載のブラジャー。
【請求項１０】
前記バスクが、オメガ（ω）形状を呈する、
請求項１〜９のいずれか１項に記載のブラジャー。
【請求項１１】
前記バスクのオメガ（ω）形状の先端の各々が、前記複数のパッドの少なくとも1つを呈し、前記複数の他のパッドより大きな寸法を有する、
請求項１０に記載のブラジャー。
【請求項１２】
前記バスクの端部が、前記カップの外側側部の長さ分延在する、
請求項１０に記載のブラジャー。
【請求項１３】
前記バスクが、アンダーワイヤの端部の範囲まで、前記カップの外側側部に延在する、
請求項１０に記載のブラジャー。
【請求項１４】
前記バスクが、フィルム状またはドット状接着剤を用いて、前記ブラジャーに熱融着された、
請求項１〜１３のいずれか１項に記載のブラジャー。
【請求項１５】
前記バスクが、前記ブラジャーに縫い付けられた、
請求項１〜１４のいずれか１項に記載のブラジャー。
【請求項１６】
前記複数のパッドのパッドが、前記バスクのチェッカー盤の四角部に据えられ、少なくとも１つの開口を含む複数の開口が、前記チェッカー盤の２つの直線の各合流点に配置された、
請求項６に記載のブラジャー。
【請求項１７】
使用者の各胸と胴体の間の少なくとも継ぎ目区域下部に配置された少なくとも１つのアンダーワイヤを備えるブラジャーを提供するステップと、
前記ブラジャーの少なくとも１つのアンダーワイヤを被覆するために、前記ブラジャー上にバスクを固定するステップとを備え、
前記バスクが、前記アンダーワイヤと前記使用者の体の間に介在するように構成されており、
前記バスクが、複数の小パッドを呈するように構成された、
ブラジャーを製作する方法。
【請求項１８】
前記アンダーワイヤを前記バスクのストリップに挿入するステップを備える、
請求項１７に記載の方法。
【手続補正２】
【補正対象書類名】明細書
【補正対象項目名】００３５
【補正方法】変更
【補正の内容】
【００３５】
言うまでもないが、本発明は、例として本明細書に記載した実施形態に限定されず、前述の方法の任意の技術的均等物または変形物、さらにそれらの可能性のある組み合わせを含むことができる。
［第１の局面］
少なくとも使用者の各胸と胴体の継ぎ目区域下部に配置されるように設計された少なくとも１つのアンダーワイヤを有し、前記胸を少なくとも部分的に被覆するように設計され前記アンダーワイヤが固定される２つのカップ（２、３）を含むブラジャー（１）であり、
少なくとも前記アンダーワイヤと前記使用者の体の間に介在するように設計され、少なくとも前記アンダーワイヤを被覆するように前記ブラジャー（１）上に配置された少なくとも１つのバスク（例えば、クレードル）（４）を含むことを特徴とする、
前記ブラジャー（１）。
［第２の局面］
前記バスク（４）が、前記アンダーワイヤから前記カップ（２、３）の内部までの少なくとも一部に延在することを特徴とする、
第１の局面に記載のブラジャー（１）。
［第３の局面］
前記バスク（４）が、布地及び発泡体を備える集合体で達成されることを特徴とする、
第１の局面または第２の局面に記載のブラジャー（１）。
［第４の局面］
前記バスク（４）が、複数の小パッド（５）を呈するように詰め物（当て物）をされることを特徴とする、
先行局面のいずれかに記載のブラジャー（１）。
［第５の局面］
前記パッド（５）が各々、球体の一部という形状を呈することを特徴とする、
第４の局面に記載のブラジャー（１）。
［第６の局面］
前記バスク（４）が、少なくとも１つの開口（１６）を含むことを特徴とする、
先行局面のいずれかに記載のブラジャー（１）。
［第７の局面］
前記開口（１６）が、前記パッド（５）間に配置されることを特徴とする、
第６の局面に記載のブラジャー（１）。
［第８の局面］
バスク（４）が、前記アンダーワイヤを挿入できるように設計された少なくとも１つのストラップ（６）を含むことを特徴とする、
先行局面のいずれかに記載のブラジャー（１）。
［第９の局面］
少なくとも前記アンダーワイヤを被覆するように、前記アンダーワイヤと前記使用者の体の間に介在するように設計されたバスク（４）をブラジャー（１）に固定するステップを含むことを特徴とする、
先行局面のいずれかに記載のブラジャー（１）を製作する方法。
【国際調査報告】
2018500476.tif 000009
2018500476.tif 000010
2018500476.tif 000011
2018500476.tif 000012